(57)【要約】【課題】ソーラーパネルより屋根勾配上方側の雪がソーラーパネルの下方に滑り込むことを防止するソーラーパネル設置屋根用雪除け具を提供すること。【解決手段】屋根１に対して固定する本体４に、屋根１上を滑り落ちる雪３を誘導案内する誘導板部５を設け、この誘導板部５は、屋根１上に設置されたソーラーパネル２より屋根勾配上方側の屋根１上に本体４を固定した際に、ソーラーパネル２の上面とソーラーパネル２より屋根勾配上方側の屋根１上面との間に配設可能な構成とし、この誘導板部５の前記パネル側端部７を、屋根１上面に対するソーラーパネル２の設置高さに応じて昇降調整可能な突没機構部８を設ける。【選択図】図５
2016160640.tif 000002
【特許請求の範囲】
【請求項１】
屋根上に設置されたソーラーパネルの下方に、このソーラーパネルより屋根勾配上方側から滑り落ちる雪が入り込むことを防止するソーラーパネル設置屋根用雪除け具であって、屋根に対して固定する本体に、屋根上を滑り落ちる雪を誘導案内する誘導板部を設け、この誘導板部は、屋根上に設置されたソーラーパネルより屋根勾配上方側の屋根上に前記本体を固定した際に、このソーラーパネルの上面とソーラーパネルより屋根勾配上方側の屋根上面との間に配設可能な構成として、ソーラーパネルより屋根勾配上方側の雪が滑り落ちると、この誘導板部の屋根側端部から誘導板部上に雪が乗り上がりながら滑動して誘導板部のパネル側端部からソーラーパネルの上面へと滑動案内されるように構成し、前記本体に、屋根上面に対するソーラーパネルの設置高さに応じて前記パネル側端部を昇降調整してこのパネル側端部をソーラーパネル上面に近接若しくは当接させる昇降機構部を設けたことを特徴とするソーラーパネル設置屋根用雪除け具。
【請求項２】
前記誘導板部は、前記本体の上部に設けられて前記屋根上面に対し屋根勾配下方側が上り傾斜すると共に、屋根勾配上方側の端部が屋根上面に近接若しくは当接する前記屋根側端部となる傾斜誘導板と、前記本体の、前記傾斜誘導板の屋根勾配下方側の端部近傍に設けられて上方へ立ち上がると共に、この立ち上がり上端が前記パネル側端部となる案内板とから成り、前記昇降機構部は、前記本体に前記案内板を昇降スライド移動自在に設けて、前記パネル側端部を昇降調整し得るように構成したことを特徴とする請求項１記載のソーラーパネル設置屋根用雪除け具。
【請求項３】
前記昇降機構部は、前記本体に前記案内板を昇降スライド移動自在に設けると共に、この案内板が前記屋根上面に対し鉛直方向に昇降スライド移動するように構成したことを特徴とする請求項２記載のソーラーパネル設置屋根用雪除け具。
【請求項４】
前記本体に、前記屋根上面に対して鉛直方向に立ち上がる立ち上がり部を設け、前記誘導板部は、前記立ち上がり部に沿設状態に前記案内板を設けると共に、この立ち上がり部より屋根勾配上方側の本体に前記傾斜誘導板を設けた構成とし、前記昇降機構部は、前記立ち上がり部に沿って前記案内板を屋根上面に対し鉛直方向に昇降スライド移動自在に設けて構成したことを特徴とする請求項２，３のいずれか１項に記載のソーラーパネル設置屋根用雪除け具。
【発明の詳細な説明】
【技術分野】
【０００１】
本発明は、屋根上に設置されたソーラーパネルの下方に雪が入り込むことを防止するソーラーパネル設置屋根用雪除け具に関するものである。
【背景技術】
【０００２】
これまでの屋根へのソーラーパネル設置構造としては、例えば特許文献１の図１に示されているように、屋根上に固定された取付金具の上部載置部にソーラーパネルを直接載置し、この載置部上のソーラーパネルを上方からパネル押え具で押え付け固定する構造が知られている。
【０００３】
また、このようにして屋根上に多数並設状態に取付けられたソーラーパネルは、パネル下面側に備わる接続ケーブル同士を接続している。
【先行技術文献】
【特許文献】
【０００４】
【特許文献１】特開２０１３−１１７１２１号公報
【発明の概要】
【発明が解決しようとする課題】
【０００５】
ソーラーパネルは、様々なメーカーから提供されているが、どのメーカー製のものでも接続ケーブルの長さはソーラーパネルの並設間隔以上に余裕のある長さのものが付属しているため、この接続ケーブルがソーラーパネルの下方に（屋根上に）垂れ下がり易い。
【０００６】
そのため、降雪地域では、屋根の勾配上方側に溜まった積雪がやがてソーラーパネルの下方と屋根上面との間の隙間を滑り落ちていくが、この際に下方に垂れ下がった接続ケーブルが雪に浚われて（引っ張られて）接続ケーブル同士の接続状況が解除されてしまうことがあった。
【０００７】
本発明は、このような問題点を見い出し、これを解決しようとするもので、屋根上に設置されたソーラーパネルの屋根勾配上方側に取り付けることでソーラーパネルより屋根勾配上方側の雪がソーラーパネルの下方に滑り込むことを防止するソーラーパネル設置屋根用雪除け具を提供するものである。
【課題を解決するための手段】
【０００８】
添付図面を参照して本発明の要旨を説明する。
【０００９】
屋根１上に設置されたソーラーパネル２の下方に、このソーラーパネル２より屋根勾配上方側から滑り落ちる雪３が入り込むことを防止するソーラーパネル設置屋根用雪除け具であって、屋根１に対して固定する本体４に、屋根１上を滑り落ちる雪３を誘導案内する誘導板部５を設け、この誘導板部５は、屋根１上に設置されたソーラーパネル２より屋根勾配上方側の屋根１上に前記本体４を固定した際に、このソーラーパネル２の上面とソーラーパネル２より屋根勾配上方側の屋根１上面との間に配設可能な構成として、ソーラーパネル２より屋根勾配上方側の雪３が滑り落ちると、この誘導板部５の屋根側端部６から誘導板部５上に雪３が乗り上がりながら滑動して誘導板部５のパネル側端部７からソーラーパネル２の上面へと滑動案内されるように構成し、前記本体４に、屋根１上面に対するソーラーパネル２の設置高さに応じて前記パネル側端部７を昇降調整してこのパネル側端部７をソーラーパネル２上面に近接若しくは当接させる昇降機構部８を設けたことを特徴とするソーラーパネル設置屋根用雪除け具に係るものである。
【００１０】
また、前記誘導板部５は、前記本体４の上部に設けられて前記屋根１上面に対し屋根勾配下方側が上り傾斜すると共に、屋根勾配上方側の端部が屋根１上面に近接若しくは当接する前記屋根側端部６となる傾斜誘導板９と、前記本体４の、前記傾斜誘導板９の屋根勾配下方側の端部近傍に設けられて上方へ立ち上がると共に、この立ち上がり上端が前記パネル側端部７となる案内板10とから成り、前記昇降機構部８は、前記本体４に前記案内板10を昇降スライド移動自在に設けて、前記パネル側端部７を昇降調整し得るように構成したことを特徴とする請求項１記載のソーラーパネル設置屋根用雪除け具に係るものである。
【００１１】
また、前記昇降機構部８は、前記本体４に前記案内板10を昇降スライド移動自在に設けると共に、この案内板10が前記屋根１上面に対し鉛直方向に昇降スライド移動するように構成したことを特徴とする請求項２記載のソーラーパネル設置屋根用雪除け具に係るものである。
【００１２】
また、前記本体４に、前記屋根１上面に対して鉛直方向に立ち上がる立ち上がり部14を設け、前記誘導板部５は、前記立ち上がり部14に沿設状態に前記案内板10を設けると共に、この立ち上がり部14より屋根勾配上方側の本体４に前記傾斜誘導板９を設けた構成とし、前記昇降機構部８は、前記立ち上がり部14に沿って前記案内板10を屋根１上面に対し鉛直方向に昇降スライド移動自在に設けて構成したことを特徴とする請求項２，３のいずれか１項に記載のソーラーパネル設置屋根用雪除け具に係るものである。
【発明の効果】
【００１３】
本発明は上述のように構成したから、屋根上に設置されたソーラーパネルより屋根勾配上方側の屋根上に固定することによって、ソーラーパネルより屋根勾配上方側から滑り落ちる雪をソーラーパネルの下方に入り込ませることなく、ソーラーパネル上面へと誘導案内でき、これによりソーラーパネルの下方へ垂れ下がった状態で接続されている接続ケーブルが、滑り落ちる雪に引っ張られて外れるような不具合を防止でき、しかも本発明は、昇降機構部により誘導板部のパネル側端部を昇降調整でき、このパネル側端部をソーラーパネルの設置高さに応じてソーラーパネル上面に近接若しくは当接できるように構成したため、様々な設置態様のソーラーパネルに対して確実に雪がソーラーパネル上面へと滑動案内されるように対応可能であるなど、極めて実用性に優れたソーラーパネル設置屋根用雪除け具となる。
【００１４】
また、請求項２記載の発明においては、ソーラーパネルより屋根勾配上方側から滑り落ちる雪が、傾斜誘導板を介してスムーズに誘導されて案内板からソーラーパネル上面へと案内されることになり、しかも前記作用・効果を確実に発揮する昇降機構部を簡易構成にして容易に設計実現可能となるなど、一層実用性に優れた構成のソーラーパネル設置屋根用雪除け具となる。
【００１５】
また、請求項３，４記載の発明においては、案内板が屋根上面に対し鉛直方向に昇降スライド移動する構成としたため、この案内板を昇降スライド移動してパネル側端部を昇降調整してもこのパネル側端部が屋根勾配方向へは位置変化せず、これによりパネル側端部の昇降調整に応じた本体の（ソーラーパネルに対する）固定位置調整が不要な設置性に優れた構成のソーラーパネル設置屋根用雪除け具となり、更に請求項４記載の発明のように構成した場合には、案内板が屋根上面に対し鉛直方向に昇降スライド移動する構造を簡易構成にして容易に設計実現可能となる。
【図面の簡単な説明】
【００１６】
【図１】実施例１を示す斜視図である。
【図２】実施例１を示す別角度からの斜視図である。
【図３】実施例１の使用状態を示す概略説明斜視図である。
【図４】実施例１の使用状態における誘導板部（案内板のパネル側端部）の昇降作動を示す説明拡大側断面図である。
【図５】実施例１の使用状態を示す説明側面図である。
【図６】実施例２を示す斜視図である。
【発明を実施するための形態】
【００１７】
好適と考える本発明の実施形態を、図面に基づいて本発明の作用を示して簡単に説明する。
【００１８】
屋根１上に設置されたソーラーパネル２より屋根勾配上方側の屋根１上に本ソーラーパネル設置屋根用雪除け具の本体４を固定して、誘導板部５をソーラーパネル２の上面とソーラーパネル２より屋根勾配上方側の屋根１上面との間に配設すると、ソーラーパネル２より屋根勾配上方側に積もった雪３が屋根１上面に沿って滑り落ちた際に、誘導板部５の屋根側端部６から誘導板部５上に雪３が乗り上がりながら滑動して誘導板部５のパネル側端部７からソーラーパネル２の上面へと滑動案内されることになる。
【００１９】
従って、ソーラーパネル２の下方に雪３が入り込むことがないので、ソーラーパネル２の下方へ垂れ下がった状態で接続されている接続ケーブルがソーラーパネル２の下方に入り込んだ雪３に引っ張られて外れるような不具合を生じない。
【００２０】
ソーラーパネル２の上面に案内された雪３は、ソーラーパネル２上面を滑動して軒側（屋根傾斜下方側）へと滑り落ちる。
【００２１】
また、屋根１上面に対するソーラーパネル２の設置高さは、現場で使用する金具や架台の種類等によって異なるが、本発明は、昇降機構部８を介して誘導板部５のパネル側端部７を昇降調整することができるので、ソーラーパネル２の異なる設置高さに対応させてパネル側端部７をソーラーパネル２上面に近接若しくは当接させることができる。
【００２２】
従って、本発明は、様々なソーラーパネル設置屋根に対して、パネル側端部７をソーラーパネル２上面に近接若しくは当接するように（パネル側端部７から確実に雪３がソーラーパネル２上面へと滑動案内されるように）対応可能である。
【実施例１】
【００２３】
本発明の具体的な実施例１について図１〜図５に基づいて説明する。
【００２４】
本実施例のソーラーパネル設置屋根用雪除け具は、屋根１に固定する本体４に、屋根１上を滑り落ちる雪３を屋根１上面より上方へ誘導案内する誘導板部５を設けている。
【００２５】
具体的には、本実施例の本体４は、左右一対のスタンド枠11と、この一対のスタンド枠11を連結する連結枠12とから成る構成としている。
【００２６】
スタンド枠11は、図１，図２，図４に示すように、金属帯板を折曲して屋根１上面に載置する底枠部13の前端（屋根１の軒側（屋根勾配下方側）に配する端部）から立ち上がり部14としての立ち上がり枠部14が直角に立ち上がると共に、この底枠部13の後端（屋根１の棟側（屋根勾配上方側）に配する端部）と立ち上がり枠部14の上端との間に傾斜枠部15が存する側面視で略直角二等辺三角枠状体に構成している。
【００２７】
また、このスタンド枠11は、底枠部13の後端と傾斜枠部15の後端とを重合止めして三角枠状に保形した構成とし、更にこの左右のスタンド枠11の夫々の重合止め部上に、所定長の金属帯板を採用した前記連結枠12の両端部を付設（重合止め）して、平面視で略コ字状をなす前記本体４を構成している。図中符号16は、連結枠12をスタンド枠11に重合止めするための止着具（リベット）である。
【００２８】
本実施例では、このように構成した本体４を、図４，図５に示すようにその前記各立ち上がり枠部14が、屋根１上に設置されたソーラーパネル２の屋根勾配上方側の周縁部に臨設するようにして、ソーラーパネル２より屋根勾配上方側の屋根１上に固定する構成としている。尚、図３〜図５では、本体４の後部（棟側（屋根勾配上方側）に配する端部）にＳ形足板と称される公知の固定金具17を突設し、この固定金具17を介して本体４を横葺屋根１に固定した場合を示しているが、固定対象となる屋根１も屋根１への固定手段もこれに限られるものではなく、適宜設計変更可能である。図中符号22はソーラーパネル２を屋根１に取付設置するための取付金具であって、図３〜図４はこの取付金具22を介して多数のソーラーパネル２を平置きした場合を示している。
【００２９】
本実施例は、この本体４の前記左右の立ち上がり枠部14間と前記左右の傾斜枠部15間とに、金属薄板で構成した前記誘導板部５を架設状態に設けている。
【００３０】
この誘導板部５について具体的に説明すると、前記本体４の左右の傾斜枠部15間に架設状態に設けられて前記屋根１上面に対し屋根勾配下方側が上り傾斜すると共に、屋根勾配上方側の端部が屋根１上面に近接若しくは当接する屋根側端部６となる傾斜誘導板９と、前記本体４の左右の立ち上がり枠部14間に架設状態に設けられることによって前記傾斜誘導板９の屋根勾配下方側の端部近傍に立設状態に設けられると共に、その上端がソーラーパネル２の上面に近接若しくは当接するパネル側端部７となる案内板10とから成る構成として、前記本体４を屋根１上に設置されたソーラーパネル２より屋根勾配上方側の屋根１上に固定すると、この誘導板部５がソーラーパネル２の上面とソーラーパネル２より屋根勾配上方側の屋根１上面との間に架設状態に配設される構成としている。
【００３１】
また、傾斜誘導板９は、横長方形板状として、その前後幅（屋根１勾配方向の幅）を前記傾斜枠部15の枠長さ幅と略同等の幅寸法に設定すると共に、左右幅を前記左右のスタンド枠11間の間隔幅寸法と略同等の幅寸法に設定している。
【００３２】
この傾斜誘導板９の前記本体４への取付構造は、四隅をビス18で左右の前記傾斜枠部15に付設（固着）した構造としている。
【００３３】
また、案内板10は、横長方形板状として、その上下（高さ）幅を前記立ち上がり枠部14の上下幅より幅広に設定すると共に、左右幅を前記傾斜誘導板９のそれと同等の幅寸法に設定している。
【００３４】
また、この案内板10は、その上端部を屋根勾配下方側へ向けて略直角に折曲した後、その折曲先端を下り傾斜方向に折曲した形状に形成して、この折曲上端部を、ソーラーパネル２上面に近接若しくは当接させる前記パネル側端部７としている。
【００３５】
この案内板10の前記本体４への取付構造は、案内板10の左右両側縁部に上下方向に長さを有するガイド長孔19を貫通形成する一方、本体４の前記左右の立ち上がり枠部14の上部に雌ネジ孔20を形成し、この各雌ネジ孔20に前記案内板10の各ガイド長孔19に挿通したビス21を螺着することによって左右の立ち上がり枠部14に案内板10を付設した構造としている。
【００３６】
また、本実施例は、前記本体４に、屋根１上面に対するソーラーパネル２の設置高さに応じて前記パネル側端部７を昇降調整してこのパネル側端部７をソーラーパネル２上面に近接若しくは当接させる昇降機構部８を設けている。
【００３７】
本実施例の昇降機構部８は、前記案内板10を立ち上がり枠部14に付設している前記各ビス21を緩めると、この各ビス21と前記各ガイド長孔19との関係によりガイド長孔19がビス21に許容される移動範囲内で案内板10が左右の立ち上がり枠部14に沿って本体４に対し昇降スライド移動可能となる（図２中の矢印参照）と共に、各ビス21の締付によって案内板10を任意の位置（パネル側端部７を任意の高さ）で停止可能な構成としている。
【００３８】
即ち、前記本体４は、その前記底枠部13を屋根１上面に載置して屋根１上に固定すると、前記立ち上がり枠部14が屋根１上面に対して鉛直方向に立ち上がる構成であるから、この立ち上がり枠部14に沿って昇降スライド移動する前記案内板10も、屋根１上面に対し鉛直方向に昇降スライド移動自在となる前記昇降機構部８を構成している（図４参照）。
【００３９】
従って、案内板10を屋根１上面に対し鉛直方向に昇降スライド移動させてパネル側端部７を昇降調整しても、このパネル側端部７が屋根勾配方向へは位置変化することのない昇降機構部８に構成しているもので、これによりパネル側端部７の昇降調整に応じた本体４の（ソーラーパネル２に対する）固定位置調整が不要となる構成としている（ソーラーパネル２の設置高さにかかわらず、ソーラーパネル２との距離を一定にして本体４を屋根１上に設置固定可能となる構成としている。）。
【００４０】
このように構成した本実施例のソーラーパネル設置屋根用雪除け具を、図３〜図５に示すように、屋根１上に設置されたソーラーパネル２より屋根勾配上方側の屋根１上に固定し（多数並設するソーラーパネル２の最も棟側に存するもの全ての屋根勾配上方側に本ソーラーパネル設置屋根用雪除け具を複数並べて固定し）、前記パネル側端部７を昇降機構部８を介して昇降調整して前記誘導板部５をソーラーパネル２の上面とソーラーパネル２より屋根勾配上方側の屋根１上面との間に架設状態に配設する。この際、図面では、パネル側端部７の先端部をソーラーパネル２に近接するようにして設置した場合を示しているが、パネル側端部７の先端部をソーラーパネル２に当接させても良いし、ソーラーパネル２上面に上方から被せるようにして近接若しくは当接させるようにしても良い。
【００４１】
すると、ソーラーパネル２より屋根勾配上方側に積もった雪３が屋根１上面に沿って滑り落ちた際に、前記連結枠12を介して誘導板部５の屋根側端部６から傾斜誘導板９上に雪３が乗り上がりながら滑動し、この傾斜誘導板９より上方に位置している案内板10の上側板部を経由してパネル側端部７からソーラーパネル２の上面へと滑動案内されることになり、ソーラーパネル２の上面に案内された雪３は、ソーラーパネル２上面を滑動して軒側（屋根傾斜下方側）へ滑り落ちる。
【００４２】
従って、ソーラーパネル２の下方に雪３が入り込むことが防止され、ソーラーパネル２の下方へ垂れ下がった状態で接続されている接続ケーブルがソーラーパネル２の下方に入り込んだ雪３に引っ張られて外れるような不具合を生じない。
【００４３】
また、この際本実施例では、連結枠12と、屋根１上面との間にスタンド枠11の重合止め部分の厚み分の隙間が生じている（この連結枠12下方の隙間は、降雨時の排水性能を確保するためのものである。）ので、この隙間からソーラーパネル２の下方に若干雪３が入り込むことが懸念されるが、この隙間から入り込む雪３は少量にとどまるので、ソーラーパネル下方に配線される接続ケーブルが外れるような不具合は生じない。尚、請求項１中の「屋根上に設置されたソーラーパネルの下方に、このソーラーパネルより屋根勾配上方側から滑り落ちる雪が入り込むことを防止する」なる記載は、ソーラーパネル２の下方に雪３が入り込むことを完全に防止するということだけを意味しているのではなく、本実施例のように少量の雪３（即ち、接続ケーブルの接続を外すほどではない少量の雪３）がソーラーパネル２の下方に入り込む可能性のある構成をも含む意味合いで用いているものである。
【実施例２】
【００４４】
本発明の具体的な実施例２について図６に基づいて説明する。
【００４５】
本実施例は、前記実施例１において、誘導板部５の傾斜誘導板９を金属製のメッシュ板９Ａで構成した場合である。
【００４６】
このように構成した本実施例によると、メッシュ板９Ａの通気（通風）性により傾斜誘導板９上に誘導されて乗り上げた雪３の消雪効果が発揮されることになる。また例えば、この傾斜誘導板９をパンチングメタルで構成しても、同様の消雪効果が発揮される。
【００４７】
他の構成は前記実施例１と同様である。
【００４８】
尚、本発明は、実施例１，２に限られるものではなく、各構成要件の具体的構成は適宜設計し得るものである。
【符号の説明】
【００４９】
１  屋根
２  ソーラーパネル
３  雪
４  本体
５  誘導板部
６  屋根側端部
７  パネル側端部
８  昇降機構部
９  傾斜誘導板
10  案内板
14  立ち上がり部
【図１】
2016160640.tif 000003
【図２】
2016160640.tif 000004
【図３】
2016160640.tif 000005
【図４】
2016160640.tif 000006
【図５】
2016160640.tif 000007
【図６】
2016160640.tif 000008